(57)【要約】      （修正有）【課題】男性用下着であるトランクス本体において、男性器を安定させ快適さを向上させたインナー部材付トランクスを提供する。【解決手段】男性用下着であるトランクス本体に対し、天然繊維や合成繊維等の材料を縫合もしくは接着等で男性器を包み込むような形状のインナー部材を、トランクス本体内側前部において、インナー部材の上端をトランクス本体内側前上部に縫合もしくは接着等で固定し、インナー部材の下端はトランクス本体内側前下部に縫合もしくは接着等で固定し、インナー部材の中央部及び、その両端は男性器の動きに追従するような自由度を持たせるため、トランクス本体と固定されない、以上の構成からなるインナー部材付トランクス。【選択図】図１
0003142310.tif 000002
【実用新案登録請求の範囲】
【請求項１】
現在普及している綿を主材にした織物生地（綿混を含む）又は、シルク製等の伸縮織物
生地以外の織物生地を用いた裾口が広くゆったりした形のトランクス前身頃内側に主に
伸縮織物生地を用いて睾丸・陰茎の裾口からのはみ出しや不安定さを解消、安定させ、
又、汗等による他所へのベタツキ等を解消させるためのホールド型のインナーとして着
装させたトランクスである。
インナーの素材は伸縮織物生地を主とするが、伸縮織物生地以外の織物生地においても
陰部を包み込むような最良の装着感を維持するための形態、及び縫製構成を施すもので
ある。
また、トランクスの特性である開放感、通気性を極力損なわないようサポート感を排し
優しく包み込むようなホールド感を重視するとともに通気性の優れた素材を使用する。
【考案の詳細な説明】
【技術分野】
【０００１】
本考案は、普及型トランクスの前身頃内側にホールド型のインナーを着装させたトラン
クスの新しい形を提案するものである。
【背景技術】
【０００２】
女性用下着は装着感や機能、構造等を研究追及した商品が多い中、男性用下着に関して
最近になり研究された商品が出始めているものの、未だ未改良の部分が多い。
特に普及型の綿生地を主材としたトランクスは安価ではあるが装着感等に問題がある。
【考案の開示】
【考案が解決しようとする課題】
【０００３】
下半身（陰部）を締め付けず開放的な構造となっている普及型トランクスだが、一方で
陰部の不安定により生ずる問題を解消させるためのものである。
【課題を解決するための手段】
【０００４】
通気性に優れた伸縮織物生地等を用いて睾丸・陰茎の裾口からのはみ出しや不安定さを
解消、安定させ、又、汗等による他所へのベタツキ等を解消させるためのホールド型の
インナーを、トランクス前身頃内側に着装させる。
【考案の効果】
【０００５】
通気性を損なわないままに安定感が増すことから、集中力が高まるとともに爽快感を
もった装着感を得ることができる。
【考案を実施するための最良の形態】
【０００６】
インナー部の下部は股下のマチ布との接ぎ目に挟み込む形で縫製固定させ、睾丸・陰茎
を包み込む部位は生地素材により適切な膨らみを持たせた構造形態としトランクス股上
寸法よりインナー部の丈を適せん短めにすることで陰部を優しく包むように吊り上げる
よう上部腰周り部の伸縮に合わせて縫製固定する。
【実施例１】
【０００７】
図１は、本考案品の１実施例の投影図であって符号１〜３は図２〜図４と同様である。
【産業上の利用可能性】
【０００８】
普及型トランクスの新しい形となりえる考案となる。
【図面の簡単な説明】
【０００９】
【図１】前面斜め上からの投影図（実施例１）
【図２】正面図
【図３】右側面図（左側面は対象なため省略）
【図４】見下げ平面図
【符号の説明】
【００１０】
１    前身頃内側ホールド型インナー部
２    腰周り部
３    トランクス本体
【図１】
0003142310.tif 000003
【図２】
0003142310.tif 000004
【図３】
0003142310.tif 000005
【図４】
0003142310.tif 000006
【手続補正書】
【提出日】平成20年4月1日(2008.4.1)
【手続補正１】
【補正対象書類名】実用新案登録請求の範囲
【補正対象項目名】請求項１
【補正方法】変更
【補正の内容】
【請求項１】
男性用下着であるトランクス本体に対し、天然繊維や合成繊維等の材料を縫合
もしくは接着等で男性器を包み込むような形状のインナー部材を、トランクス
本体内側前部において、
（１）インナー部材の上端をトランクス本体内側前上部に縫合もしくは接着等で固定し、
（２）インナー部材の下端はトランクス本体内側前下部に縫合もしくは接着等で固定し、
（３）インナー部材の中央部及び、その両端は男性器の動きに追従するような自由度を
持たせるため、トランクス本体と固定されない、
以上の構成からなるインナー部材付トランクス。
【手続補正２】
【補正対象書類名】明細書
【補正対象項目名】全文
【補正方法】変更
【補正の内容】
【考案の詳細な説明】
【技術分野】
【０００１】
本考案は、男性用下着であるトランクス本体に対し天然繊維や合成繊維等の材料
を縫合もしくは接着等で男性器を包み込むような形状のインナー部材をトランク
ス本体内側前部において着装させたトランクスの新しい形となるものである。
【背景技術】
【０００２】
男性用下着であるトランクスは開放的な構造となっている一方で、男性器の不安
定により生ずる問題に関して、インナー部材をトランクスの内側に装着している
ものが特許文献にあるが、前見頃上部と後見頃上部のみを固定させ、吊形状として
いるものに関しては、男性器を安定させるというよりは必要以上に股間に圧迫感を
与えてしまうことが考えられ、前見頃内側に性器を包み込む形状の材料を縫製固定
しているものに関しては、歩行等の動きに対して男性器が自由に動けず、動きに追
従できないことが考えられる。
【特許文献１】特開２００３-１４７６０２
【特許文献２】特開２００６-３２２１２０
【特許文献３】実開２００７-４８２５
【特許文献４】実開２００７-９１９４
【考案の開示】
【考案が解決しようとする課題】
【０００３】
男性器を締め付けず開放的な構造となっている男性用下着のトランクスだが、一方
で、男性器の不安定により生ずる問題を解消させるためのものではなかった。
【課題を解決するための手段】
【０００４】
男性用下着であるトランクス本体に対し、天然繊維や合成繊維等の材料を縫合
もしくは接着等で男性器を包み込むような形状のインナー部材をトランクス本
体内側前部において、
（１）インナー部材の上端をトランクス本体内側前上部に縫合もしくは接着等で固定し、
（２）インナー部材の下端はトランクス本体内側前下部に縫合もしくは接着等で固定し、
（３）インナー部材の中央部及び、その両端は男性器の動きに追従するような自由度を
持たせるため、トランクス本体と固定されない、
以上の構成からなるインナー部材付トランクスとする。
【考案の効果】
【０００５】
特許文献の従来例においても、男性器を安定させ快適さを向上させる考案が出て
いるが、本考案はトランクス前部内側上下部のみにインナー部材を固定したもので
従来例よりも男性器の自由度を保ちながら安定させることのできる考案である。
【考案を実施するための最良の形態】
【０００６】
男性用下着であるトランクス本体に対し、天然繊維や合成繊維等の材料を縫合
もしくは接着等で男性器を包み込むような形状のインナー部材1をトランクス
本体内側前部において、
（１）インナー部材1の上端1ａをトランクス本体内側前上部に縫合もしくは接着等で
固定し、
（２）インナー部材1の下端１ｂはトランクス本体内側前下部に縫合もしくは接着等で
固定し、
（３）インナー部材１の中央部両端１ｃは男性器の動きに追従するような自由度を持た
せるため、トランクス本体と固定されない、
以上の構成からなるインナー部材付トランクスとする。
【実施例１】
【０００７】
図１は、本考案品の１実施例の投影図であって符号１、１ａ、１ｂ、１ｃ、２、
２ａ、２ｂ、２ｃは図２〜図４と同様である。
【産業上の利用可能性】
【０００８】
男性用下着であるトランクスの新しい形となりえる考案である。
【図面の簡単な説明】
【０００９】
【図１】前面斜め上からの投影図（実施例１）
【図２】正面図
【図３】断面図
【図４】見上げ平面図
【符号の説明】
【００１０】
１    インナー部材
１ａ  インナー部材の上部
１ｂ  インナー部材の下部
１ｃ  インナー部材の中央部両端
２    トランクス本体
２ａ  トランクス本体の腰周り部
２ｂ  トランクス本体の前部
２ｃ  トランクス本体の後部
【手続補正３】
【補正対象書類名】図面
【補正対象項目名】全図
【補正方法】変更
【補正の内容】
【図１】
0003142310.tif 000007
【図２】
0003142310.tif 000008
【図３】
0003142310.tif 000009
【図４】
0003142310.tif 000010